(57)【要約】  スライダ（２５）は、ガイドレール（５）上を、それに沿って移動する電気接触子（３２）を備える。そのスライダは、車両の進行方向で案内装置の前部に取り付けられ、所定の限界を越えると破損する傾向のある接続連接棒（２６）によって、この装置に関節式に接続されている。スライダ（２５）は、接触子（３２）とその側面の少なくとも一つの間に物体または破片の引き上げおよび排除装置（４３）を備える。接触子とレールとの間の電気接触がなくなることによって、脱線の危険性を検出することができる。本発明は、レールにより案内される車両の建造者に利用される。【選択図】図１
2010510932.tif 000002
【特許請求の範囲】
【請求項１】
少なくとも一つのガイドレール（５）によって案内される一方向または双方向車両のガイドウェイに沿って、物体または破片を排除し、脱線の危険性を検出する装置であって、その装置は、このガイドレール（５）上を移動する一方向車両では案内装置（２）および双方向車両では案内装置（２）および（３）である案内装置の少なくとも一つ（２）の端部に配置されており、
―案内される車両の進行方向で案内装置（２）または（３）の少なくとも一つの前部に取り付けられた、このガイドウェイ上およびガイドウェイに沿って滑動するスライダ（２５）であり、このスライダ（２５）は、接続連接棒（２６）によって少なくとも一つの案内装置（２）または（３）の支持材に関節式に接続されており、該スライダ（２５）はガイドレール（５）の少なくとも一つのふさがっていない面の正面に物体および破片の引き上げおよび排除手段を備えるスライダ、および、
―上記のスライダ(２５)に連結される、または、分離できるガイドレール（５）との少なくとも一つの電気接触部品であり、電気接触部品は少なくとも一つの電気回路内に配置されており、その開いたまたは閉じた状態は輸送車両管理システムによってカウントされ、この部品とガイドレール（５）との電気接触欠陥が脱線の危険性の存在を識別するために開発されたこの電気回路の状態を生じさせる電気接触部品から、
構成されることを特徴とする装置。
【請求項２】
上記接続連接棒（２６）は、スライダ（２５）にかかる所定の応力を越えると破損しやすい傾向を示すことを特徴とする請求項１に記載の検出および排除装置。
【請求項３】
上記接続連接棒（２６）は、可撓性であることを特徴とする請求項１に記載の検出および排除装置。
【請求項４】
上記接続連接棒（２６）は、水平面内で車体と車軸の間の空間で可撓性であることを特徴とする請求項３に記載の検出および排除装置。
【請求項５】
上記接続連接棒（２６）は、各々、案内装置（２）または（３）の一部分を形成する支持材上、および、スライダ（２５）上で継ぎ手（２７）および（２８）によってその端部の各々に関節式接続されていることを特徴とする請求項１〜４のいずれか一つに記載の検出および排除装置。
【請求項６】
各継ぎ手（２７）および（２８）は、回転継ぎ手であることを特徴とする請求項５に記載の検出および排除装置。
【請求項７】
各継ぎ手（２７）および（２８）は、案内装置（５）の横断軸線を中心にする回転継ぎ手であることを特徴とする請求項６に記載の検出および排除装置。
【請求項８】
各継ぎ手（２７）および（２８）は、案内装置（５）に垂直な鉛直方向の軸線を中心にする回転継ぎ手であることを特徴とする請求項６に記載の検出および排除装置。
【請求項９】
上記回転継ぎ手（２７）および（２８）の少なくとも一つは、側方の車体と車軸との間の空間を形成することを特徴とする請求項６〜８のいずれか一つの記載の装置。
【請求項１０】
上記接続連接棒（２６）は、ガイドレール上にスライダ（２５）の圧力によって下方に戻して取り付けられていることを特徴とする請求項９に記載の検出および排除装置。
【請求項１１】
この圧力は、弾力であることを特徴とする請求項１０に記載の検出および排除装置。
【請求項１２】
上記電気接触部品は、スライダ（２５）内に収容された接触子（３２）であり、その最小側面または下面（３３）は、ガイドレール（５）の上面に載っていることを特徴とする請求項１に記載の検出および排除装置。
【請求項１３】
上記接触子（３２）と、案内装置（２）または（３）の支持材上の電気的導通点との間の電気接続は、可撓性の電気接続（３５）であることを特徴とする請求項１２に記載の検出および排除装置。
【請求項１４】
スライダ（２５）の摩擦装置は、何もない空間または電気的に絶縁された仕切り（３９）によって離された接触子（３７）および（３８）を形成する、滑動する連続した二つのブロックの形態の二つの部分から形成されており、接触子は各々電気接続（４１）および（４２）に接続されており、それによって、ガイドレール（５）との接触子の電気接触を少なくとも二つの電気回路内に配置し、ガイドレール（５）は、接触子がガイドレール（５）と同時接触しているとき、一つは各ブロック（３７）および（３８）とレールとの間、もう一つは二つのブロック（３７）および（３８）間に電気的導通を実現することを特徴とする請求項１に記載の検出および排除回路。
【請求項１５】
上記接触子の一つ（３７）は、もう一つの接触子（３８）よりサイズが大きいことを特徴とする請求項１４に記載の検出および排除回路。
【請求項１６】
少なくとも二つの回路は、一方が接触子（３７）用のそのまたは一つの給電戻り回路または給電およびその制御に関する一組の回路であり、もう一方が接触子（３８）用の運転制御および安全性の検出回路またはそのための一組の回路であることを特徴とする請求項１４に記載の検出および排除回路。
【請求項１７】
回路の少なくとも一つは、ガイドレール（５）およびこのレールとの接触子の接触を通過して、車両に搭載された受信器に到達する周波数信号の通路上に固定された発生器を備え、受信器は接触子がレールと接触している場合にはこの信号を検出し、接触がない場合に信号を検出せず、輸送される人々および設備の安全性を目的とする動作を開始させることを特徴とする請求項１に記載の検出および排除回路。
【請求項１８】
監視電子システム（４８）を備える検出電気回路内に配置された少なくとも二つの接触子（５１）および（５２）の形状のガイドレール（５）との接触子部品を少なくとも二つ備え、監視電子システムは車両に搭載され、給電されるが、車両からめっき絶縁されており、および、二つの接触子（５１）および（５２）とガイドレール（５）と通して制御ループ内に接続された電気励起信号発生器（５０）および制御装置（５３）を備えており、その制御装置（５３）は該制御装置が電気励起信号発生器（５０）から放出された電気励起信号を制御装置（５３）が受信しない場合車両管理システムに知らせることを特徴とする請求項１に記載の検出および排除回路。
【請求項１９】
引き上げおよび排除装置は、スライダ（２５）の側面の少なくとも一つに存在する装置であり、上向きに傾斜し、前に下向きのくちばし状部材（４５）があり、続いて台状の水平な支持台（４６）があり、斜めの仕切り壁の形状の側面放出横方向偏向装置（４７）で終る引き上げ偏向板（４４）によって形成される引き上げおよび排除側面勾配（４３）を備えることを特徴とする請求項１に記載の検出および排除回路。
【請求項２０】
案内装置の支持台は、その端部に案内装置（２）または（３）の縦方向の軸線に関して対称な二つの羽根（１９）および（２０）状に広がる安全シールド（１８）を備え、羽はＶ字型に開いて、ガイドレール（５）の軸上に中心があり、および、羽根は各々外側に曲がっており、その端部に各々ローラ（１５）および（１６）を保護する横方向排除部材（２３）および（２４）が各々最後にある強化された正面（２１）および（２２）を備えることを特徴とする請求項１に記載の検出および排除回路。
【請求項２１】
双方向車両の車軸モジュール（４）の前方案内装置（２）および後方案内装置（３）の各々の前方および後方に存在することを特徴とする請求項１に記載の検出および排除回路。
【請求項２２】
レールが地面上の単一レールであり、その上を少なくとも一つの安全装置が動く公共輸送都市道路車両への請求項１〜２１のいずれか一つに記載の検出および排除装置の利用。
【請求項２３】
案内装置は、二つの傾斜したローラ（１５）および（１６）付きの装置であることを特徴とする請求項２２に記載の利用。
【発明の詳細な説明】
【技術分野】
【０００１】
本発明は、脱線の危険性の検出および輸送車両のレールの沿ったガイドウェイに存在する物体または破片、および、より一般的には、障害物の排除装置に関するものである。
【背景技術】
【０００２】
地面上のレールに沿って移動するローラ付き案内装置による道路車両の案内は、公共輸送の道路車両の都市交通において理想的な解決法となっている。
【０００３】
本出願人は、圧縮応力によってガイドレールに押し付けられる傾斜した二つのローラを備える、地中に埋め込まれる単一のガイドレールに沿った案内装置を実現した。この装置は、速度の観点および騒音と信頼性のレベルから、その性能によって満足を与えるものである。
【０００４】
地中に埋め込まれるガイドレールは公道にあり、しばしば凹状の、したがって、ガイドレールの両側に存在する少なくとも一つの溝を形成する直線状の空間は、極めて様々な物体のたまり場となり、ものによっては、案内の不良作動を生じ、脱線まで引き起こすことがある。
【０００５】
また、ガイドウェイを横切って、または、沿って存在するだけで、このガイドウェイをふさぐ物体が問題となる。交通事故に関連する破片から落し物や廃棄物まで、様々な物体が問題となる。
【０００６】
さらに、レールに沿って延びる一つまたは複数の溝の中に存在し、冬には案内の重大な障害となる氷の場合を考慮しなければならない。氷は、以下の説明では、物体または障害物、または、砕かれた氷は破片に含まれるものとする。
【０００７】
ガイドウェイをふさぐ、または、ガイドレールに沿って配置された一つまたは複数の溝を形成する一つまたは複数の横の空間に収容されることがある物体または破片を原因とする脱線を防ぐために、既に二つの主な排除または排出手段が考案されている。
【０００８】
第一の手段は、いわゆる排障器である保護装置であり、その主な機能は、ガイドウェイ上に存在する物体を取り除くことからなる。
【０００９】
第二の手段は、一つまたは複数の溝を部分的に埋めるために使用される物質である。この物質は、弾性を備え、ローラの通過から生じる圧力によって打ち込み、場合によっては、それに続いてはめ込むことによって、その容積内に小さい物体を収容するか、または、他の場合は、ローラの通過後のバウンドによって物体を排出することができる。
【００１０】
詰まると、大きな幅で、ローラの持ち上げを引き起こし、それによって、脱線にいたることがある物体もある。
【発明の概要】
【発明が解決しようとする課題】
【００１１】
本発明は、走行中、案内ローラの通過の妨害となる多数の物体をガイドウェイから取り除くことを目的とする。本発明は、また、案内ローラが常にガイドレールにはめ込まれており、脱線の危険性を検出し、警報および安全装置およびプロシージャを始動させることを目的とする。
【課題を解決するための手段】
【００１２】
そのため、本発明は、少なくとも一つのガイドレールによって案内される一方向または双方向車両のガイドウェイに沿って、物体または破片を排除し、脱線の危険性を検出する装置であって、その装置は、このガイドレール上を移動する案内装置の少なくとも一つの端部に配置されており、
―案内される車両の進行方向で案内装置の少なくとも一つの前部に取り付けられた、このガイドウェイ上でおよびガイドウェイに沿って滑動するスライダであり、このスライダは、接続連接棒によって少なくとも一つの案内装置の支持材に関節式に接続されており、ガイドレールの少なくとも一つのふさがっていない面の正面に物体および破片の引き上げおよび排除手段を備えるスライダ、および、
―上記のスライダに連結される、または、分離できるガイドレールとの少なくとも一つの電気接触部品であり、電気接触部品は少なくとも一つの電気回路内に配置されており、その開いたまたは閉じた状態は輸送車両管理システムによってカウントされ、この部品とガイドレールとの電気接触欠陥が脱線の危険性の存在を識別するために開発されたこの電気回路の状態を生じさせる電気接触部品から、
構成されることを特徴とする装置に関する。
【発明の効果】
【００１３】
本発明による装置は、高価ではなく、エネルギーの消費が低い単純な手段のみを使用して、案内の安全性を保証するという大きな利点を示す。
【００１４】
本発明のその他の特徴および利点は、例として示す、添付図面を参照しておこなう以下の説明から明らかになるであろう。
【図面の簡単な説明】
【００１５】
【図１】図１は、本発明の一実施態様による検出および排除装置の斜視図であり、装置はガイドレール上および傾斜した二つのローラ付き案内装置上に装着されている。
【図２】図２は、ガイドレール上に装着された図１の検出および排除装置の単純化した図面である。
【図３】図３は、本発明による別の実施態様の検出および排除装置の単純化した斜視図である。
【図４】図４は、図１に図示した装置およびその装置が前部に装着されている案内装置の側面図である。
【図５】図５は、同じ装置の鉛直方向縦断面図である。
【図６】図６は、同じ装置の平面図である。
【図７】図７は、接触子が二つの連続したブロックによって構成されている装置の縦断面図である。
【図８】図８は、カーブ内に案内される車軸モジュールを一般的に図示したものである。
【図９】図９は、案内装置と検出および排除装置との間の本発明によるカーブでの可能な偏心を示す図８の円で囲んだ部分の拡大図である。
【図１０】図１０は、安全検出回路の一実施例の作動原理を図示したブロック図である。
【発明を実施するための形態】
【００１６】
下記に、添付図面を参照して、地面上のレールによって案内されるタイヤ上の車両の道路分野に利用される本発明の一実施例を記載する。もちろん、本発明は、他の多くのケース、特に、二つのレールによる案内および特に脱線の危険性の検出および溝付きレールの溝の物体または破片の排除装置に利用される。
【００１７】
また、「物体」とは、天然または人工のあらゆる種類の障害物、および、環境や例えば氷などの気象および気候状態に関係する障害物を意味する。
【実施例】
【００１８】
例えば、道路輸送車両のガイドウェイ上の物体または破片、および、より一般的には障害物の本発明による検出および排除装置１は、この特定の用途で、輸送、特に都市型公共輸送の道路車両が備える車軸の少なくとも一つの案内装置２に、進行方向において前部に取り付けられことになる。
【００１９】
検出および排除装置１は、また、双方向車両、したがって、二つの案内装置２および３、および、それによって、図８に図示したように二つの検出および排除装置１を備える車両の車軸モジュール４の場合、後部案内装置３の後部に取り付けられる。もちろん、一度に使用されるのは、一つの案内装置だけである。
【００２０】
案内は、例えば、側溝７の底部に固定されたベースプレート６を備える単一の地上でのガイドレールに沿って、そのキノコ状部分８の上面が図示した実施例では車道の平面の高さまたはほぼ同じ高さになるように実施される。
【００２１】
ガイドレール５の一実施例を図１に示した。そのキノコ状部分８は、くぼんだ直線状の空間、すなわち、参照番号９に示すような溝によって、側溝の両縁部側から離れており、平らな中央部分１０と二つの案内ローラの回転用の対称に傾斜した二つのトラック１１および１２とを具備する上面を備える。
【００２２】
各溝９は、案内を妨害することがある物体および破片用のたまり場となることがある。
【００２３】
図示した実施例では、案内装置２または３は、車軸モジュール４の前部に、および、双方向車両の場合は後部にも支持された支持部材１４に関節式接続された案内ヘッド１３を備える。
【００２４】
案内ヘッド１３は、先端が下方を向いたＶ字型に傾斜した対称な二つのローラ１５および１６によって形成されている。これらの案内ローラは、ローラ支持部材１７に取り付けられている。それらは、各々、レール１１および１２の各々の傾斜した回転トラックの一つとの接触圧力下で回転するようになる。
【００２５】
案内ヘッド１３の前部では、ローラ支持部材１７に、ガイドレール５に中心があるＶ字型に開いた対称な二つの羽根１９および２０によって形成された押し引き式安全シールド１８が取り付けられている。これらの羽根１９および２０は外側に向かって湾曲しており、それらの端部に各々強化された前表面２１および２２を備え、その端部には各々横方向の排除部品２３および２４があり、それらはローラ１５および１６の前に高く延びて、ローラを保護している。
【００２６】
この安全シールド１８の前表面は、各々、その位置に来た物体または破片を、より一般的には障害物を斜めに外側に押して、ガイドウェイから排除するように、広がった圧力壁を構成する。
【００２７】
この同じローラ支持部材１７には、前部におよび案内ヘッド１３から離れて、ガイドレール５上を滑動するスライダ２５が取り付けられている。「前部」という表現は、車両の前で、かつ、進行方向であることが理解される必要がある。スライダは、機械的接続、例えば、接続連接棒２６によって案内ヘッドの前部に間隔を置いて関節式接続で取り付けられる。この接続連接棒２６は、その端部の一方が、例えば、側方の車体と車軸との間の空間のある、好ましくは回転継ぎ手２７によってローラ支持部材１７に接続される。また、もう一方は、同様に側方の車体と車軸との間の空間を備えることができる、好ましくは第二の回転継ぎ手２８によって検出および排除装置１のスライダ２５に接続されている。
【００２８】
継ぎ手２７および２８は、ガイドレール５を横断する軸を中心にする回転継ぎ手であることが好ましい。
【００２９】
弾力による下向きの圧縮応力は、ローラ支持部材１７の前部および接続連接棒２６の間に取り付けられた圧縮ばね２９を介して検出および排除装置１のスライダ２５にかかる。接続連接棒２６は、破損への傾向、すなわち、ヒューズと同じ効果を提供する材料または手段によって構成されている、または手段または材料と手段の組み合わせによって形成されている性質、すなわち、例えば、縦方向の一定の限界力を超えると機械的破壊を示すので、いわゆるヒューズである。それは、例えば、所定の機械的拘束、特に、ある限界値の押し応力に続いて砕けることのできる材料で製造されている。それは、可撓性であり、すなわち、変形して、スライダ２５がカーブ内のガイドレールを進行することができるようにする。
【００３０】
また、接続連接棒２６は、水平面内での側方の車体と車軸の間の空間で可撓性である。逆の場合、回転継ぎ手２７および２８によって、レールに垂直な鉛直軸線を中心にして、車体と車軸との間の空間が形成される。
【００３１】
スライダ２５は、ガイドレール５に重なり、その上を、それに沿って滑動するブロックまたは機械的装置である。
【００３２】
スライダ２５は、一つのブロック、または、複合部品、すなわち、複数の部分によって形成されている。機能的には、ガイドレールとの電機接触を支持するかまたは備えており、破片および物体の引き上げおよびガイドウェイの外への排除装置を少なくとも一つ備える。
【００３３】
電機接触を、スライダ２５内に、連結式かまたは取り外し可能に収容することができる。
【００３４】
以下に、図面に示した二つの実施例を説明するが、何ら限定的なものではない。
【００３５】
図１および図２に示した実施例では、スライダ２５は、ガイドレールをそのキノコ状部分８の側面で、レールの正面および両側に、レールからわずかに間隔を置いて、参照番号３１のような下降する側面を備える本体によって部分的に包む管状要素３０から構成されている。
【００３６】
図１および図２に示したように、管状要素３０の内部で、その上部の下の面に、レールとの電気接触部品の役割を果たす接触子３２が、連結式または分離できるように、例えば、取り外し可能に取り付けられている。その下面３３の輪郭は、好ましくは、ガイドレール５の上部の形状に応じて合わせられており、それによって、既にこのレール上での案内機能を確実にすることができる。
【００３７】
以下に、接触子およびスライダ２５を一つまたは複数の引き上げおよび排除装置と一つにまとめる機械的装置を記載した。一つまたは複数の接触子およびスライダ２５を一つまたは複数の引き上げおよび排除装置と物理的に分離した、および／または、機能的に分離した構成にすることができる。
【００３８】
電気接触の接触子３２は、車両に装備され、万一の場合警報および安全装置およびプロシージャを始動させる脱線の危険性を検出する電気回路の一部分であり、一方、案内ローラは常にガイドレール上にはめ込まれている。
【００３９】
接触子３２は、例えば、変形して、スライダ２５の動きに従うことができる柔軟な組みひもの形状の柔軟な電気接続３５によって、電気的導通点３４に電気的に接続されている。検出電気回路は、電気接続ケーブル３６によって、電気的導通点３４から輸送車両に向かって続く。
【００４０】
以下に記載するように、検出および排除装置１の接触子３２のガイドレール５との電機接触の欠陥は、一つの電気回路の状態、走行の安全性、および、したがって、輸送の安全性の観点から、作動管理中央装置と連絡をとる輸送車両に搭載された検出回路によって警報として使用される、いわゆる開回路状態に対応する。
【００４１】
スライダ２５の接触子３２は、モノブロックで、または、例えば二つの部分からなる複合材料で形成される。二つの部分からなる実施例は、図７の断面図に図示されている。
【００４２】
この実施形態によると、その実施例を構成する接触子３７および３８を形成する二つの導体ブロックは、何もない空間３９または適切な厚さの電気的に絶縁性の仕切りが占める空間によって分離されている。
【００４３】
ブロック３７は、アンペア数の大きい回路の帰路に電気的に接続されているので、サイズがより大きい。
【００４４】
複合接触子を形成するこれらの二つの電気的導体のブロックは、順番に二つの接触子３７および３８の役割を果たすが、機械的および電気的に分離されている。それらは、分離された導体ブロックの電気的独立性を維持することができるように機械的に保持され、組み合わされている。
【００４５】
接触子３７および３８を形成する二つの機械的ブロックは、適切な電気絶縁４０によって、各々が一つの回路または分離された電気接続４１および４２によって分離された特殊な複数の回路に接続され、保護されている。第一の接触子３７に対応する電気接続４１の前の、または、それを通過することのできるアンペア数は大きいので、その断面積は大きい。
【００４６】
したがって、車両の供給電流の帰路が形成されるのは、この接触子３７を通してであることが好ましい。
【００４７】
考えられる回路としては、二つのグループに分けられ、一つは電気的機能用であり、もう一つは制御用である。
【００４８】
そのうえ、レールの電気的導通、および、車両および給電回路および複数の種類の信号および機能用の様々な回路の給電状態の監視の安全性に適切な回路が重要であることがある。
【００４９】
スライダ２５がその二つの接触子３７および３８を介してガイドレール５と接触しているとき、その接触子は三つの可能な回路を実現する。その一つは第一の接触子３７とレールとの間であり、もう一つは第二の接触子３８とレールとの間であり、第三の回路は二つの接触子間であり、その電気的導通は二つの接触子とレールとの同時接触によって確実になる。したがって、遮断することができる三つの電気路を利用することができる。
【００５０】
これらの可能性は、作動制御に関するが、特に案内の安全性に関する様々な必要性に応じて開発される。
【００５１】
場合によって、すなわち、スライダの持ち上げの程度に応じて、一つまたは複数の電気的導通、すなわち、接触子の一つとレールとの間または接触子間の電気的導通を中断することができる。そのとき、二つの回路の少なくとも１つは開かれている。
【００５２】
実際、二つの接触子３７または３８のどちらか一つの接触表面をガイドレールに対して斜めにまたは別に持ち上げることによって遠ざけて、脱線の危険性の検出回路の開回路状態を構成し、確認するだけで十分である。この状態は、車両の中央管理および、特に、輸送の安全性を確実にするシステムによってカウントされるであろう。
【００５３】
検出回路の一つまたは安全性の予防対策を始動させる回路は、線路の固定設備、例えば、発動電気エネルギーを運んで来る接触アンテナ線とレールとの間の電気周波数信号を発信する線路の固定発生器によって実現することができる。この信号は、ガイドレールによって、および、場合によってはさらに接触アンテナ線によって車両に到達し、車両の内部で、適した検出モジュールによって分析され、検出される。受信されなかった信号は、接触子のはずれに対応する。まさかの場合には、緊急ブレーキのような安全を目的とする防止動作が始動される。
【００５４】
一つまたは複数の検出回路は、また、搭載された設備から形成できる。本発明をより完全に説明するために、そのような回路の非限定的な例を図１０に概略的に図示した。
【００５５】
この検出回路によって、車両に取り付けられた接触子とガイドレールとの間の電気接触を制御することができる。
【００５６】
この回路の作動には、少なくとも二つの接触子が必要であり、それによって、この回路は、例えば、何もない空間３９または適切な厚みの電気的に絶縁の仕切りが占める空間によって分離された二つの接触子３７および３８を形成する二つの導体ブロックを備える図７の別の実施例と匹敵するものになる。しかしながら、この検出回路は、電気アース接触子であれ、電流帰路接触子であれ、ガイドレールと接触する少なくとも二つの接触子を備える他のいずれの実施態様にも適することができる。
【００５７】
ガイドレールに関する接触子の状態を知るために、すなわち、接触子がガイドレールと電気接触しているかいないかを知るために、基準を作成する。このために、監視電子システム４８内に制御ループが配置される。このループでは、ガイドレール５は、電気的な観点の地面を示す。
【００５８】
車両は、監視電子システム４８の作動に必要なエネルギーを提供する。このエネルギーは、地面から、および、したがって、ガイドレール５から電気的に絶縁されている。このように、監視システム４８は、めっき絶縁手段４９によって車両からめっき絶縁されている。
【００５９】
監視電子システム４８は、電気励起信号発生器５０を備える。この発生器は、図１０では「接触子Ａ」と記されている第一の接触子５１の方へ電気励磁周波数信号を放出する。
【００６０】
正常な作動状態で、接触子Ａは、ガイドレール５を介して「接触子Ｂ」と呼ぶ第二の接触子と電気接続されている。
【００６１】
監視電子システム４８は、また、接触子Ｂに接続された制御装置５３を備えており、発生器５０によって放出された電気励起信号が接触子Ａおよびガイドレール５を通過して、接触子Ｂによってその制御装置に伝わっていることを確認する。
【００６２】
制御装置５３が電気励起信号を受けないとき、それは、接触子５１または５２の少なくとも一つがはずれることによって、または、二つの接触子間に存在するガイドレールの部分の欠陥によって、電子回路が遮断されていることを意味する。
【００６３】
制御装置５３は、車両の中央管理および輸送の安全性を保証する全体システムに監視システム４８の状態についての情報を伝え、欠陥が信号化されたとき、場合によっては、例えば急ブレーキなどの安全予防動作を始動させる。
【００６４】
好ましくは、監視システム４８によって、各々独立して、接触子の各々が完全にはずれていることを検出することができる。したがって、システムが欠陥を検出するために、二つの接触子をはずす必要はない。同様に、監視システム４８は、二つの接触子５１および５２間の電気回路の遮断、すなわち、その間に位置するガイドレール５の欠陥を検出することができる。
【００６５】
好ましい一実施態様によると、上記の監視電子システム４８は、コンパクトなケース内に収容され、そのケースはスライダ２５上の接触子５１および５２上に取り付けることができる。
【００６６】
スライダの別の主な機能は、ガイドウェイに存在する破片および物体の排除機能である。
【００６７】
そのため、スライダ２５の一般的な形状は、前方に伸び、後方に向かって広くなる端部を備えているので、鋤の形状である。
【００６８】
スライダ２５は、その側面の各々に、一連の偏向板を備え、その偏向板は、各回およびスライダ２５の各側面３１とともに各側面で、側面排除勾配４３を形成する。
【００６９】
側面引き上げおよび排除勾配４３は、各々、下方に延びるくちばし状部材４５を備える上向きに傾斜した引き上げ偏向板４４によって構成されており、その偏向板には水平方向の支持台４６が続いており、勾配の最後にはななめに外側の方を向いた横方向の仕切りの形態の側面放出の横方向偏向器４７が備えられている。
【００７０】
図３に図示した別の実施例は、上記と同様な一般的な特徴を示す。それはよりコンパクトな変更例であり、それによると、勾配４３および管状要素３０は同一の機械装置に一体化されており、すなわち、これらの部品は例えば折り曲げたシートメタル製の単一部品として形成することができる。
【００７１】
物理的脆弱性、すなわち、スライダ２６を支持する接続連接棒２６の破損しやすい傾向は、接続連接棒が特に案内ローラを上方に駆動して、ローラがガイドレールの側面からはずれることを防止するために持ち上がり、折れることの必要性によるものである。
【００７２】
本発明による装置は、ガイドウェイ上をふさぐ物体または破片が前進することに対する抵抗に続いて、過度の応力が生じた場合、その破損によって、装置が取り付けられている支持材との機械的接続を遮断するヒューズとして働く。
【００７３】
また、ローラ支持材１７に連接棒２６を接続する回転継ぎ手２７および２８の側面の車体と車軸との間の空間によって、および、または、場合によってはその可撓性の性質によって、スライダはカーブ内でいつでも完全かつ容易にレールをたどることができる。また、徐々に軸がずれて、続いて、自己再整列することによって、そのようにして、案内装置全体が破損したり、または、脱線にいたることがある装置の作動不良を引き起こすことを防ぐことができる。
【００７４】
この利点は、前部案内装置２および後部案内装置３の二つの案内装置を備え、この装置の各々が本発明による検出および排除装置に組み合わされた車軸モジュール４を図示した図８および９によって示されている。この二つの案内ヘッドを備える装置は、双方向車両に取り付けられている。案内装置および検出および排除装置の縦方向の軸線ＡおよびＢは、各々、カーブ内で角度αで交わっており、そのようにして、接続連接棒の可撓性および／または回転継ぎ手の側面の車体と車軸との間の空間によって、スライドの良好な案内を保証する。
【００７５】
全体の作動は、十分に単純であることが明らかである。
【００７６】
小さな物体または破片は、運転に影響せずに、スライド２５の下で消される。
【００７７】
例えば、より大きな別の物体または破片について、側面の排出勾配４３はその排除機能を果たす。物体または破片は、傾斜し、かつ水平な支持台の作用によって偏向板に到達し、案内装置の前進運動によってガイドウェイの外側に横方向に押される。
【００７８】
大きな物体または破片、または重大な障害または脱線を起こすことのある原因である他のものについては、スライダ２５は持ち上げられ、障害物の上および構造によって決定される物理的な制約を越えて通過して、接続連接棒２６は折れ、ヒューズの役割を果たす。スライダ２５はレールを離れ、それによって、案内ローラがまだレール上にはめこまれていても、脱線の危険性の検出を引き起こす。
【００７９】
接続連接棒２６のこの破損の限界の下では、その連接棒はまた持ち上げられ、一つまたは複数の障害物の上を通過し、これによって、また、接触子がはずれ、したがって、脱線の危険性が検出される。
【００８０】
もちろん、障害物が大きすぎるときには、スライダ２５はその障害物に対して正面衝突し、続いて、接続連接棒２６が折れる。
【産業上の利用可能性】
【００８１】
本発明による検出および排除装置１は、実際に全てのケースで輸送車両の案内の安全性を保証し、重大な被害を回避するために、車両の停止を命令する。
【符号の説明】
【００８２】
案内装置
５      ガイドレール
２５    スライダ
２６    接続連接棒
３２、３７、３８  接触子
４８    監視電子システム
【図１】
2010510932.tif 000003
【図２】
2010510932.tif 000004
【図３】
2010510932.tif 000005
【図４】
2010510932.tif 000006
【図５】
2010510932.tif 000007
【図６】
2010510932.tif 000008
【図７】
2010510932.tif 000009
【図８】
2010510932.tif 000010
【図９】
2010510932.tif 000011
【図１０】
2010510932.tif 000012
【国際調査報告】
2010510932.tif 000013
2010510932.tif 000014
2010510932.tif 000015
2010510932.tif 000016